(57)【要約】【課題】薄膜担持体上に形成した薄膜を基板表面に転写する薄膜形成装置において、薄膜担持体や薄膜を損傷することなく基板への薄膜の転写を行う。【解決手段】基板Ｗを下面周縁部で保持する爪部材３４５は、先端を薄刃状に、かつ下面を平らに形成されている。薄膜担持体であるシートフィルムＦを載置する第２プレート５４の上面（担持体載置面）５４２の直径Ｒ4は、爪部材３４５との当接部位を除いた基板下面の直径Ｒ3よりも小さく、かつ周縁部はテーパー加工されている。シートフィルムＦの周縁部を狭持するリング体ＲＦを下方へ押し下げることにより、担持体載置面５４２よりも外側では基板Ｗ下面とシートフィルムＦとの間に隙間ＥＳが生じる。この隙間に爪部材３４５が入り込むようにすることで、シートフィルムＦとの接触が回避される。【選択図】図１３
2010192516.tif 000002
【特許請求の範囲】
【請求項１】
下面が平坦な基板保持面となっている第１プレートと、
基板の下面周縁部の当接部位に当接することで前記基板を保持してその上面を前記第１プレートの下面に押し当てる基板保持部材と、
上面が前記基板下面の前記当接部位を除く部分よりも小さく平坦で前記第１プレートの下面と対向する担持体載置面となっており、該担持体載置面に、可撓性を有する材料により前記第２プレートの上面よりも大きなシート状に形成されその上面に薄膜を担持する薄膜担持体を載置する第２プレートと、
前記担持体載置面に対し前記薄膜担持体の周縁部を相対的に下方に押し下げることにより、前記担持体載置面に載置された前記薄膜担持体の上面を前記担持体載置面よりも外側に延長した仮想平面と、前記担持体載置面よりも外側において押し下げられた前記薄膜担持体の上面がなす面との間に、前記基板保持部材が入り込むための保持空間を形成する保持空間形成手段と
を備え、
前記保持空間形成手段により形成された前記保持空間を維持しながら前記第１プレートと前記第２プレートとが近接することで、前記薄膜担持体上の前記薄膜を前記基板の下面に押し当てて転写する
ことを特徴とする薄膜形成装置。
【請求項２】
前記保持空間を維持しながら前記第２プレートを昇降させることで前記第１プレートに対して近接・離間させる昇降手段を備える請求項１に記載の薄膜形成装置。
【請求項３】
前記基板保持部材の下面が略水平な平面となっている請求項１または２に記載の薄膜形成装置。
【請求項４】
前記第２プレートの前記担持体載置面の周縁部がテーパー面を有する請求項１ないし３のいずれかに記載の薄膜形成装置。
【請求項５】
前記第２プレートの前記担持体載置面の周縁部が上に凸の曲面となっている請求項１ないし３のいずれかに記載の薄膜形成装置。
【請求項６】
前記第２プレートの前記担持体載置面は石英により形成されている請求項１ないし５のいずれかに記載の薄膜形成装置。
【請求項７】
前記第２プレートは、その上面が円形に形成されている請求項１ないし６のいずれかに記載の薄膜形成装置。
【請求項８】
前記基板保持部材が、水平方向に位置を調整可能となっている請求項１ないし７のいずれかに記載の薄膜形成装置。
【発明の詳細な説明】
【技術分野】
【０００１】
この発明は、基板に薄膜を形成する薄膜形成装置に関するものである。なお、薄膜が形成される基板としては、半導体ウエハ、フォトマスク用ガラス基板、液晶表示用ガラス基板、プラズマ表示用ガラス基板、ＦＥＤ（Field Emission Display）用基板、光ディスク用基板、磁気ディスク用基板、光磁気ディスク用基板などの各種基板が含まれる。
【背景技術】
【０００２】
半導体ウエハや液晶表示用ガラス基板などの基板の表面に薄膜を形成する技術として、近年、例えばシートフィルムなどの薄膜担持体上に形成した薄膜を基板表面に加圧転写するものが提案されている。例えば、特許文献１に記載の技術においては、下面が平面となった第１プレートの下面に基板を押し当てるとともに、薄膜材料を含む塗布液を塗布されたシートフィルム（薄膜担持体）を下方から第２プレートにより押し上げて基板に密着させることにより、基板表面に薄膜材料を転写させている。
【先行技術文献】
【特許文献】
【０００３】
【特許文献１】特開２００８−３００４１４号公報（図７）
【発明の概要】
【発明が解決しようとする課題】
【０００４】
このような薄膜形成装置では、薄膜の転写対象である基板下面の周縁部を爪状の保持部材により下方から保持することで、基板を第１プレートに押し当てている。このため、基板下面の周縁部において保持部材と薄膜担持体とが接触してしまうことがある。このようにして薄膜担持体に保持部材が接触すると、薄膜担持体上の薄膜の均質性が失われたり、薄膜担持体に傷が付いたりすることがある。しかしながら、上記した従来技術では、この問題を回避するための方策が検討されておらず、この点において改良の余地が残されていた。
【０００５】
この発明は上記課題に鑑みなされたものであり、薄膜担持体上に形成した薄膜を基板表面に転写する薄膜形成装置において、薄膜担持体や薄膜を損傷することなく基板への薄膜の転写を行うことのできる技術を提供することを目的とする。
【課題を解決するための手段】
【０００６】
この発明にかかる薄膜形成装置は、上記目的を達成するため、下面が平坦な基板保持面となっている第１プレートと、基板の下面周縁部の当接部位に当接することで前記基板を保持してその上面を前記第１プレートの下面に押し当てる基板保持部材と、上面が前記基板下面の前記当接部位を除く部分よりも小さく平坦で前記第１プレートの下面と対向する担持体載置面となっており、該担持体載置面に、可撓性を有する材料により前記第２プレートの上面よりも大きなシート状に形成されその上面に薄膜を担持する薄膜担持体を載置する第２プレートと、前記担持体載置面に対し前記薄膜担持体の周縁部を相対的に下方に押し下げることにより、前記担持体載置面に載置された前記薄膜担持体の上面を前記担持体載置面よりも外側に延長した仮想平面と、前記担持体載置面よりも外側において押し下げられた前記薄膜担持体の上面がなす面との間に、前記基板保持部材が入り込むための保持空間を形成する保持空間形成手段とを備え、前記保持空間形成手段により形成された前記保持空間を維持しながら前記第１プレートと前記第２プレートとが近接することで、前記薄膜担持体上の前記薄膜を前記基板の下面に押し当てて転写することを特徴としている。
【０００７】
このように構成された発明では、基板保持部材により周縁部を保持された基板下面のうち、基板保持部材と当接する当接部位を除いた部分よりも第２プレートの上面が小さい。そして、第２プレートの上面（担持体載置面）より外側まで延びる薄膜担持体は、保持空間形成手段により相対的に下方へ押し下げられるため、基板下面の周縁部では、第２プレート上面に載置された中央部に比べて薄膜担持体との間隔が大きくなっている。したがって、中央部において基板下面と薄膜担持体とが当接した状態においても、周縁部では基板の下面と薄膜担持体との間に隙間（保持空間）ができる。この隙間に基板保持部材が入り込むような構造とすることにより、基板下面と薄膜担持体とを当接させた状態およびその前の状態を含めて、薄膜担持体と基板保持部材との接触が回避される。これにより、この発明では、薄膜担持体や薄膜を損傷することなく基板への薄膜の転写を行うことが可能となる。
【０００８】
この発明では、例えば、前記保持空間を維持しながら前記第２プレートを昇降させることで前記第１プレートに対して近接・離間させる昇降手段を備えるようにしてもよい。基板と薄膜担持体とを密着させるために第１プレートと第２プレートとを接近させるに際して、第１、第２プレートのいずれを移動させても構わないが、第２プレートを移動させる構成とする場合、保持空間形成手段により形成された保持空間を維持しながら第２プレートを昇降させるようにすることで、薄膜担持体と基板保持部材との接触を確実に防止しながら処理を行うことができる。具体的には、例えば、昇降手段が第２プレートと保持空間形成手段とを一体的に昇降させるようにすることができる。
【０００９】
また、この発明では、前記基板保持部材の下面が略水平な平面となっていてもよい。基板保持部材の下面に下方への突起が存在すると、これを回避するために大きな保持空間を確保する必要があり、薄膜担持体を大きく折り曲げなければならないことになる。このことは薄膜担持体やその上の薄膜にダメージを与える可能性がある。また、装置に対する基板や薄膜担持体の搬入・搬出の作業性も低下する。これらの問題を解消するために、基板保持部材の下面が略水平な平面であることが好ましい。
【００１０】
また、前記第２プレートの前記担持体載置面の周縁部がテーパー面を有する、または、周縁部が上に凸の曲面となるように構成されてもよい。このような構成によれば、担持体載置面の周縁部において薄膜担持体がスムーズに下方へ折り曲げられるため、鋭い角に触れて薄膜担持体が傷付いたり、担持体載置面上で薄膜担持体が浮き上がったりすることが防止される。
【００１１】
ここで、前記第２プレートの前記担持体載置面は石英により形成されてもよい。石英は滑らかで平坦な表面に仕上げることが比較的容易であるとともに十分な機械的強度を有しており、また基板や薄膜を汚染する物質を含まない高純度のものが製造されているので、担持体載置面として好適に使用することができる。また、第２プレートはその上面が円形に形成されてもよい。特に円形の基板を転写対象とする場合に好適である。
【００１２】
また、前記基板保持部材が、水平方向に位置を調整可能となっていてもよい。このような構成によれば、基板下面のうち前記基板保持部材と当接する当接部位の面積をできるだけ小さくして基板を有効に利用することが可能となる。また、基板を確実に保持し落下を防止することができる。
【発明の効果】
【００１３】
この発明によれば、薄膜担持体が載置される第２プレート上面（薄膜載置面）が、基板下面のうち基板保持部材と当接する当接部位を除いた部分よりも小さいため、薄膜担持体の周縁部が押し下げられると基板下面の周縁部と薄膜担持体との間に隙間ができる。そして、この隙間に基板保持部材が入るように構成しているので、基板下面と薄膜担持体とを当接させた状態およびその前の状態を含めて薄膜担持体が基板保持部材と接触することはなく、その損傷が防止される。
【図面の簡単な説明】
【００１４】
【図１】この発明にかかる基板処理装置の一実施形態を示す図である。
【図２】基板保持機構を示す図である。
【図３】基板を保持する爪部材の構造を示す図である。
【図４】爪部材の水平移動を示す図である。
【図５】基板保持機構が最下方に移動した状態を示す図である。
【図６】リング体およびリング体を挟持する構成を説明するための断面図である。
【図７】図１のＡ−Ａ’切断面を上方から見たときの薄膜形成装置を示す図である。
【図８】突き上げピンと下クランプとが係合した状態を示した図である。
【図９】突き上げピンの構造を示す図である。
【図１０】図１の薄膜形成装置の動作を説明するための第１の模式図である。
【図１１】図１の薄膜形成装置の動作を説明するための第２の模式図である。
【図１２】図１の薄膜形成装置の動作を説明するための第３の模式図である。
【図１３】薄膜転写過程の詳細を示す図である。
【図１４】位置調整機構の他の例を示す図である。
【発明を実施するための形態】
【００１５】
図１はこの発明にかかる基板処理装置の一実施形態を示す図である。この基板処理装置は、半導体ウエハなどの基板の表面に例えばＳＯＧ（Spin-On-Glass）などの薄膜を形成するための装置（薄膜形成装置）であり、図１はその内部構造を横から見た図である。この装置では、処理チャンバ１の内部に形成される処理空間内に後述する転写ユニットが設置されており、基板表面への薄膜形成は、減圧された処理空間内でこの転写ユニットにより行われる。説明の便宜上、図１に示すようにＸ、Ｙ、Ｚの各方向を定義する。
【００１６】
この転写ユニットは、処理チャンバ１を構成する上板１１に固定された上側ブロック３と、底板１９に固定された下側ブロック５とを備えており、薄膜形成対象である基板Ｗと、薄膜材料を塗布された薄膜担持体としてのシートフィルムＦとを上下ブロック３、５で挟み込むことにより、シートフィルムＦ上の薄膜を基板Ｗに転写する。
【００１７】
なお、以下の説明において、各構成要素に付した符号が「３」から始まるものは当該要素が上側ブロック３を構成するものであることを意味する一方、「５」から始まるものは当該要素が下側ブロック５を構成するものであることを意味するものとする。
【００１８】
処理空間ＳＰ内は、排気管９５１を介して処理チャンバ１と接続された真空ポンプ９５によって真空排気可能になっている。この真空ポンプ９５は装置全体を制御する制御ユニット９１に制御されており、制御ユニット９１からの動作指令に応じて作動して処理空間ＳＰ内を排気減圧することができるようになっている。また、制御ユニット９１は真空ポンプ９５による処理空間ＳＰからの排気量を調整し、処理空間ＳＰ内の圧力（真空度）を制御可能となっている。これにより、薄膜の乾燥状態をコントロールしながら該薄膜を基板Ｗに転写することができる。処理空間ＳＰ内の圧力は、薄膜の種類等に応じて大気圧から数Ｐａまでの範囲内の所定の圧力に設定される。
【００１９】
処理空間ＳＰには、第１、第２プレート３４、５４が上下に対向して収容されている。第１プレート３４は処理チャンバ１を構成する上板１１の下面に固定された上ベース部材３１によって水平に固定支持されており、第２プレート５４の上方に位置している。第１プレート３４は基板Ｗが装着される試料台を構成し、第２プレート５４と対向する下面３４２が基板Ｗの装着面を形成している。第１プレート３４の下面３４２は円形に形成されている。ここで、薄膜形成対象となる基板Ｗとしては、例えば円板状に形成された半導体ウエハと、この半導体ウエハ上に電極配線をパターニングした構造を有するものがあり、基板Ｗのパターン形成面側に絶縁膜などの薄膜が転写される。
【００２０】
第１プレート３４の下面３４２には、基板Ｗが装着される。第１プレート３４は、内部に加熱手段として加熱ヒータ３４１を具備している。この加熱ヒータ３４１はヒータコントローラ９３と電気的に接続されており、制御ユニット９１からの基板温度情報に基づきヒータコントローラ９３が加熱ヒータ３４１を２５℃〜２００℃の間で加熱制御する。なお、第１プレート３４の下面３４２は石英板で形成されてもよい。
【００２１】
処理チャンバ１の上面を構成する上板１１には、処理対象となる基板Ｗを保持したり該保持を解除することができるとともに、基板Ｗを上下方向に昇降させることができる基板保持機構３００が設けられている。この基板保持機構３００では、複数本（この実施形態では２本）のリフタ３４４が昇降自在で、しかも水平方向に移動自在に支持されている。各リフタ３４４の下端部には爪部材３４５が固着されている。爪部材３４５はその上面が基板Ｗの周縁部と係合可能に仕上げられ、基板Ｗを爪部材３４５上に載置させることができる。
【００２２】
図２は基板保持機構を示す図である。基板保持機構３００は、リフタ３４４に取り付けられた爪部材３４５を鉛直方向（Ｚ方向）および水平方向（Ｘ方向）に所定距離だけ移動させるため、以下のような構造を有している。処理チャンバ１を構成する上板１１の上方にはトッププレート３１２が設けられており、トッププレート３１２には回転軸が鉛直下向きのステッピングモータ３６１が取り付けられている。ステッピングモータ３６１の回転軸にはボールねじ機構３６２が結合されている。ボールねじ機構３６２には鉛直方向に延びるシャフト３６３がフランジ３６７（後述）を介して取り付けられており、したがって、図２に示すように、制御ユニット９１からの制御指令にしたがってステッピングモータ３６１が回転すると、その回転運動はボールねじ機構３６２により上下方向（Ｚ方向）の運動に変換されてシャフト３６３を上下動させる。ボールねじ機構３６２にはシャフト３６３の上下動に連動して上下する位置検出用延設部３６４が設けられる一方、トッププレート３１２にはこれを検出する位置センサ３６５が設けられており、この位置センサ３６５の出力に基づきボールねじ機構３６２の上下方向位置が制御ユニット９１により制御されている。なお、図２は基板保持機構３００が最上方位置にあるときの状態を示している。
【００２３】
シャフト３６３の他方端は、処理チャンバ１の上板１１の略中央に穿設された開口部１１１を通して処理チャンバ１内の処理空間ＳＰにまで入り込んでおり、その下端にはサブプレート３６６が取り付けられている。また、シャフト３６３の上端部は拡径されてフランジ３６７となっており、フランジ３６７の下面と上板１１の上面との間には上下方向（Ｚ方向）に伸縮自在のベローズ３６８が設けられ、開口部１１１が塞がれている。このため、ステッピングモータ３６１が回転すると、ベローズ３６８の伸縮範囲内でボールねじ機構３６２、シャフト３６３、フランジ３６７およびサブプレート３６６が一体的に上下動する。このときベローズ３６８が伸縮することによって処理チャンバ１の気密性が維持されている。
【００２４】
サブプレート３６６には２箇所の貫通孔３６６１が穿設されており、その上部にはサブプレート３６６に対し水平方向に移動自在のスライダ３７０および該スライダ３７０の動きを一軸方向（Ｘ方向）および所定変位量に規制するスライダガイド３６９が取り付けられている。スライダ３７０とスライダガイド３６９との間にはバネ３７１が介挿されており、外力が加わらない状態でスライダ３７０はシャフト３６３に近い側（図において中央寄り）に付勢されている。スライダ３７０の下部には前記したリフタ３４４が取り付けられている。
【００２５】
一方、２つのスライダ３７０の上部は上方に延びて縦ロッド３７２となっており、上板１１に設けられた中央の開口部１１１に対して対称な位置に設けられた２つの貫通孔１１２を貫通して上板１１よりも上方にまで達している。縦ロッド３７２の上端部には、長短２種類の延設部３７２１、３７２２が設けられている。より具体的には、縦ロッド３７２上端部のうちシャフト３６３に近い側（内側）の側面が上方に向けて延長されて、長く延びた延設部３７２１となっている。また、縦ロッド３７２上端部のうちシャフト３６３から遠い側（外側）の側面には、より短い延設部３７２２が設けられている。
【００２６】
上板１１から貫通孔１１２を通して上方に突き出した縦ロッド３７２を覆うように、ハウジング３７３が上板１１に取り付けられている。ハウジング３７３の内部空間は処理空間ＳＰに連通しており、またその外側側面には貫通孔３７３１が穿設されている。貫通孔３７３１には、そのサイズより小さな断面を有する横ロッド３７４が挿通されている。横ロッド３７４のうちハウジング３７３の内部側に進入している一端部には、後述するように縦ロッド３７２の延設部３７２２と係合する係合ピン３７４１が立設されている。
【００２７】
一方、横ロッド３７４のうちハウジング３７３から外に向けて突き出した他端部には板状の隔壁形成部材３７５が取り付けられている。ハウジング３７３外側面の貫通孔３７３１の周囲と隔壁形成部材３７５との間には、横方向（Ｘ方向）に伸縮自在のベローズ３７６が取り付けられている。したがって隔壁形成部材３７５はベローズ３７６の伸縮範囲内でＸ方向に変位可能である。また、ハウジング３７３の上部にはエアシリンダ３７７が取り付けられており、制御ユニット９１からの制御指令によりエアシリンダ３７７が作動しピストン３７７１がＸ方向に動くと、これに押されて隔壁部材３７５および横ロッド３７４が一体的にＸ方向に動くこととなる。
【００２８】
図３は基板を保持する爪部材の構造を示す図である。リフタ３４４の下端に取り付けられた爪部材３４５は、リフタ３４４に結合されたベース部３４５１と、止めネジ３４５３によってベース部３４５１に固定された先端部材３４５２とを有している。先端部材３４５２は基板の外形に合わせて円弧状に形成されるとともに、その先端部は上下方向の厚みが先端ほど薄くなっている。より具体的には、先端部材３４５２の下面はほぼ平らとなる一方、上面は先端（図において左下方）に近づくにつれて段階的に厚みが減少されて最終的に薄刃状となるように仕上げられている。この先端部が基板Ｗの下面外周部に当接することによって、基板Ｗを下方から支持する。
【００２９】
先端部材３４５２は２ピースに分割されており、それぞれ止めネジ３４５３によってベース部３４５１に締結されている。止めネジ３４５３を緩めることで、基板に対し接近・離間する方向（矢印方向）について２つの先端部材３４５２の位置決め調整を個別に行うことができる。これにより基板Ｗが爪部材３４５に当接する当接部位の面積を小さくすることができるとともに、基板の保持を確実に行うことが可能となる。この実施形態では、上記のように構成された爪部材３４５を２組設けて、処理対象となる基板Ｗをその両側から保持する。
【００３０】
次に、基板保持機構３００によるリフタ３４４および爪部材３４５の上下方向（Ｚ方向）および水平方向（Ｘ方向）への駆動について、図２、図４および図５を参照しながら説明する。図２に示した、基板保持機構３００が最上方にある状態では、リフタ３４４も最上方位置にあり、このとき爪部材３４５の先端は第１プレート３４の直下に位置している。このときの爪部材３４５の位置を「基板装着位置」と称する。
【００３１】
図４は爪部材の水平移動を示す図である。リフタ３４４が最上方位置にあるとき、縦ロッド３７２に設けられた延設部３７２２と、横ロッド３７４に設けられた係合ピン３７４１とがハウジング３７３内においてちょうど係合する位置関係となっている。したがって、隔壁形成部材３７５をＸ方向に変位させるとこれに伴って横ロッド３７４が左右に動くため、横ロッド３７４に係合した縦ロッド３７２を左右に移動させることができる。同時に爪部材３４５もＸ方向に移動する。つまり、エアシリンダ３７７を作動させて隔壁形成部材３７５をＸ方向に変位させることにより、図４（ａ）に示すように第１プレート３４直下で基板Ｗを爪部材３４５により保持した状態と、図４（ｂ）に示すように爪部材３４５による基板Ｗの保持を解除した状態とを切り換えることができる。
【００３２】
より詳しくは、爪部材３４５と連結されたスライダ３７０がバネ３７１により爪部材３４５を基板Ｗに当接する方向に付勢されているため、エアシリンダ３７７が作動しない状態では、図４（ａ）に示すように爪部材３４５が基板Ｗの下面外周部を保持した状態となっている。一方、エアシリンダ３７７が作動して、図４（ｂ）に矢印で示すように、バネ３７１の付勢力に抗して隔壁形成部材３７５を外側に向け変位させると、横ロッド３７４およびこれに係合する縦ロッド３７２も共に外側に向けて変位し、結果として爪部材３４５が基板Ｗから外側に向けて離間し、基板保持を解除する。
【００３３】
図５は基板保持機構が最下方に移動した状態を示す図である。ステッピングモータ３６１およびボールねじ機構３６２の作動によりシャフト３６３が下方に移動しベローズ３６８が収縮した状態では、リフタ３４４も下方に移動し爪部材３４５は第１プレート３４の直下から下方に大きく離間した位置（退避位置）にある。このとき、図５に示すように、縦ロッド３７２の上部に設けた延設部３７２２も下方に下がっており、横ロッド３７４に設けられた係合ピン３７４１との係合は解除されている。このため、エアシリンダ３７７が作動したとしてもその駆動力は縦ロッド３７２には伝達されず、爪部材３４５は動かない。そして、爪部材３４５はもともと基板Ｗに当接する方向に付勢されているため、基板Ｗを保持した状態が維持されることとなる。この状態では、処理済みの基板Ｗを外部に搬出することができる。
【００３４】
また基板Ｗが保持されていない状態では、１対の爪部材３４５は第１プレート３４から下方に離間した位置で、しかも基板を載置可能な互いの距離を保持している。したがって、この状態で外部から基板Ｗを搬入し、爪部材３４５に保持させることができる。そして、制御ユニット９１からステッピングモータ３６１に上昇指令が与えられると、リフタ３４４が上方に移動して爪部材３４５上に載置された基板Ｗを第１プレート３４の下面３４２に密着させる。これにより、爪部材３４５が基板装着位置に位置決めされ、第１プレート３４に基板Ｗが装着される。
【００３５】
爪部材３４５が基板装着位置に位置決めされた状態では、縦ロッド３７２の延設部３７２２と横ロッド３７４の係合ピン３７４１とが再び係合して、爪部材３４５の水平移動が可能となる。なお、縦ロッド３７２に設けられた長い方の延設部３７２１は、縦ロッド３７２が上昇したときに縦ロッド３７２の延設部３７２２と確実に係合するように、横ロッド３７４の係合ピン３７４１を案内するガイドとしての機能を有する。
【００３６】
このように、この実施形態において爪部材３４５を第１プレート３４直下から下方に退避させた状態では、縦ロッド３７２と横ロッド３７４との係合が切り離されるとともに、爪部材３４５が基板Ｗに当接する方向に付勢されているため、基板Ｗの保持を解除することができない。言い換えれば、この実施形態における基板保持の解除は、基板Ｗが第１プレート３４の直下に保持されているときにのみ許可されている。このようにすることで、エアシリンダ３７７の誤動作や故障に起因する不要な保持解除によって基板Ｗが落下することが防止される。
【００３７】
図１に戻って処理ユニットの説明を続ける。第２プレート５４は、移動方向Ｚ（鉛直方向）に沿って昇降自在に設けられた昇降ユニット５２に装備され、第１プレート３４の下方に軸線を一致させて対向して配置されている。昇降ユニット５２は底板１９に取り付けられた下ベース部材５１を有し、下ベース部材５１上に第２プレート５４が固定支持されている。第２プレート５４はシートフィルムＦが装着される転写板を構成し、第１プレート３４と対向する上面は石英板５４２１により形成されて、該石英板５４２１の上面５４２がシートフィルムＦの装着面を形成している。第２プレート５４の上面５４２は円形に形成されている。また石英板５４２１の上面周縁部はテーパー加工されてテーパー面が設けられている。シートフィルムＦは基板Ｗより大きい円形に形成され、その表面（薄膜形成面）には薄膜が形成されている。また、第２プレート５４の上面５４２の平面サイズはシートフィルムＦの平面サイズよりも小さく形成されている。
【００３８】
このシートフィルムＦは後述する上側挟持部および下側挟持部によって移動方向Ｚに挟み込まれることによって保持されており、第２プレート５４はシートフィルムＦの裏面（シートフィルムの両主面のうち薄膜形成面に対して反対の非薄膜形成面）側に配置されている。また、第２プレート５４には加熱手段として加熱ヒータ５４１が内蔵されている。この加熱ヒータ５４１はヒータコントローラ９４と電気的に接続されており、制御ユニット９１からの基板温度情報に基づきヒータコントローラ９４が加熱ヒータ５４１を２５℃〜２００℃の間で加熱制御する。
【００３９】
シートフィルムＦは、例えばＰＴＦＥ（ポリテトラフルオロエチレン）もしくはＥＴＦＥ（エチレンテトラフルオロエチレン）などの可撓性を有し、また可塑性を有する有機材料からなるシート状のフィルムである。
【００４０】
昇降ユニット５２は、下ベース部材５１の下面中央部に一体に垂設された支持軸５１３を有している。支持軸５１３は移動方向Ｚに沿って昇降自在に軸支され、加重モータ５３によって昇降されるように構成されている。すなわち、支持軸５１３の下端には加重モータ５３が接続されており、制御ユニット９１からの動作指令に応じて加重モータ５３が作動することで、昇降ユニット５２を移動方向Ｚに沿って昇降させることができる。昇降ユニット５２の昇降により、下ベース部材５１上に支持された第２プレート５４が移動方向Ｚに沿って昇降する。
【００４１】
また、この実施形態ではシートフィルムＦのハンドリング性を向上させるために図６に示すように一対のリングＲup，Ｒdwを用いて一体化したリング体ＲＦを形成し、このリング体ＲＦの状態でシートフィルムＦの搬送を実行している。以下では、図６および図７を参照しつつ、シートフィルムＦのハンドリング構成について説明する。
【００４２】
図６はリング体およびリング体を挟持する構成を説明するための断面図である。このリング体ＲＦは、上リングＲupと下リングＲdwとでシートフィルムＦの周縁部を全周にわたって挟み込むことによってシートフィルムＦを保持したものである。上リングＲupと下リングＲdwとは同一形状を有する円環状部材であり、シートフィルムＦを挟んで上リングＲupおよび下リングＲdwを配置させることにより、シートフィルムＦを磁力吸着により保持可能となっている。
【００４３】
また、第１、第２プレート３４、５４の周囲には、一対のリングＲup，Ｒdwを上下から挟み込んでリング体ＲＦを保持する上クランプ３５および下クランプ５５が設けられている。上クランプ３５および下クランプ５５はそれぞれ、一対のリングＲup，Ｒdwとほぼ同じ内径を有する円環状部材であり、上クランプ３５の外径が一対のリングＲup，Ｒdwの外径よりも小さく形成される一方、下クランプ５５の外径が一対のリングＲup，Ｒdwの外径よりも大きく形成されている。
【００４４】
このような構成により、上クランプ３５および下クランプ５５によってリング体ＲＦが上下方向（移動方向Ｚ）に挟んで保持されると、結果的にシートフィルムＦは上リングＲupおよび上クランプ３５からなる上側挟持部ＵＨと、下リングＲdwおよび下クランプ５５からなる下側挟持部ＤＨとにより保持（挟持）された状態となる（図６（ｂ））。つまり、下側挟持部ＤＨに載置されたシートフィルムＦが上側挟持部ＵＨにより上方から押圧されることによって該シートフィルムＦが下側挟持部ＤＨと上側挟持部ＵＨとにより挟持される。以下、下側挟持部ＤＨと上側挟持部ＵＨとをあわせて「一対の挟持部」という。
【００４５】
一対の挟持部ＵＨ，ＤＨに挟持されたシートフィルムＦは第１プレート３４と第２プレート５４との間に配置される。具体的には、薄膜が形成されたシートフィルムＦの表面（薄膜形成面）が第１プレート３４に対向する一方、シートフィルムＦの裏面（非薄膜形成面）側が第２プレート５４に対向するように、シートフィルムＦが一対の挟持部ＵＨ，ＤＨにより挟持される。
【００４６】
図７は図１のＡ−Ａ’切断面を上方から見たときの薄膜形成装置を示す図である。２つのクランプのうち下クランプ５５は、底板１９に立設された複数本（この実施形態では３本）の円柱体よりなるクランプ受け５５５上に水平姿勢で支持される。クランプ受け５５５は第２プレート５４の上面５４２の中心を通り移動方向Ｚに伸びる軸（以下、単に「中心軸」という）Ｊ回りに互いに等角度（１２０°）間隔で放射状に配置されている。下クランプ５５の上面周縁部（円環部）にはリング体ＲＦの下端部（下リングＲdw）を収容可能な内部に向けて窪んだ窪部５５１が形成されている（図６（ａ））。そして、リング体ＲＦの下端部を窪部５５１に収容させることによって、窪部５５１の周囲を取り囲む周面部５５２によってリング体ＲＦの水平方向の移動を規制することができる。
【００４７】
また、下ベース部材５１上には、複数本（この実施形態では３本）の突き上げピン５６が中心軸Ｊ回りに互いに等角度（１２０°）間隔で放射状に、しかも円周方向に沿ってクランプ受け５５５の間に位置するように立設されている。一方、下クランプ５５の下面には各突き上げピン５６に対応して突き上げピン５６の先端部を挿入させることが可能なピン挿入孔５５３（図１）が形成されている。このため、昇降ユニット５２が上昇駆動されると、突き上げピン５６の先端部がピン挿入孔５５３に挿入されるとともに、突き上げピン５６の先端部と後端部との間に形成された段差面が下クランプ５５の下面と当接する。これにより、突き上げピン５６と下クランプ５５（一対の挟持部ＵＨ，ＤＨ）とが互いに係合する。この状態で昇降ユニット５２がさらに上昇駆動されると、下クランプ５５がクランプ受け５５５から離れ、突き上げピン５６と下クランプ５５とが係合した状態で一体的に上昇する。これにより、第２プレート５４と一対の挟持部、つまり上側挟持部ＵＨおよび下側挟持部ＤＨとが一定の位置関係を保ったまま上昇する。
【００４８】
図８は突き上げピンと下クランプとが係合した状態を示した図である。突き上げピン５６と下クランプ５５とが係合した時点では、第２プレート５４が一対の挟持部ＵＨ，ＤＨに挟持されたシートフィルムＦに接触して該シートフィルムＦが上方に突き上げられる。これにより、シートフィルムＦが緊張し、該シートフィルムＦに張力を発生させることができる。ここで、第２プレート５４の上面５４２が円形に形成されるとともに、一対の挟持部ＵＨ，ＤＨによりシートフィルムＦの周縁部が全周にわたって保持（挟持）されているため、シートフィルムＦに対して周方向に均一な張力を付与することができる。
【００４９】
また、この実施形態では、突き上げピン５６が下クランプ５５と係合する係合部位の第２プレート５４に対する移動方向Ｚにおける相対距離（以下、単に「相対距離」という）Ｄを調整することによって、シートフィルムＦに発生させる張力の大きさをコントロールすることが可能となっている。具体的には、突き上げピン５６の先端部と後端部との間に形成された段差面（突き上げピン５６が下クランプ５５と係合する係合部位）から第２プレート５４の上面５４２までの距離（相対距離Ｄ）を調整することにより、シートフィルムＦに発生させる張力の大きさを変更することが可能となっている。つまり、相対距離Ｄに応じて、第２プレート５４がシートフィルムＦと接触を開始してから突き上げピン５６と下クランプ５５とが係合するまでの間にシートフィルムＦが第２プレート５４によって移動方向Ｚに沿って突き上げられる量（以下、単に「突き上げ量」という）Ｑが変化する。したがって、相対距離Ｄが調整されることで、突き上げ量Ｑを変更し、シートフィルムＦに発生する張力の大きさを調整することができる。
【００５０】
図９は突き上げピンの構造を示す図である。下ベース部材５１には移動方向Ｚに沿って貫通孔５１１が形成されており、貫通孔５１１に突き上げピン５６が挿通されている。これにより、その先端側に係合部位（段差面）が設けられた突き上げピン５６が下クランプ５５（一対の挟持部ＵＨ，ＤＨ）に向けて突設される。突き上げピン５６の後端部５６１にはネジ溝が刻まれる一方、貫通孔５１１の内壁には突き上げピン５６のネジと螺合するネジ溝が刻まれている。また、下ベース部材５１の上面側に２つのナットからなるダブルナット５１６が突き上げピン５６の後端部５６１に螺嵌されており、ダブルナット５１６により突き上げピン５６が下ベース部材５１に緩みなく締め付け固定される。突き上げピン５６の先端部５６２は下クランプ５５のピン挿入孔５５３に挿入可能とされている。そして、突き上げピン５６の先端部５６２がピン挿入孔５５３に挿入されることで、突き上げピン５６の後端部５６１と先端部５６２とを結合する段差面５６３（係合部位）が下クランプ５５の下面５５４に当接する。段差面５６３と下クランプ５５の下面５５４とは平行に形成され、面接触状態で当接する。
【００５１】
このような構成によれば、ダブルナット５１６を緩めて突き上げピン５６の頭部５６４を回転させていくことで、下ベース部材５１の上面から段差面５６３までの移動方向Ｚにおける長さＬが調整される。すなわち、突き上げピン５６と下クランプ５５とが互いに係合している状態では、下ベース部材５１と下クランプ５５（一対の挟持部ＵＨ，ＤＨ）との間の間隙が調整される。そして、下ベース部材５１の上面から段差面５６３までの移動方向Ｚにおける長さＬを所定の長さに調整した後、ダブルナット５１６を締めることによって突き上げピン５６を下ベース部材５１に固定する。このように、下ベース部材５１の上面から段差面５６３までの移動方向Ｚにおける長さＬが調整されることで、相対距離Ｄが調整される。これにより、突き上げ量Ｑを変更し、シートフィルムＦに発生する張力の大きさを自在に、しかも簡素な構成により調整することができる。したがって、使用するシートフィルムＦの種類や膜厚に応じて最適な張力をシートフィルムＦに与えることができる。
【００５２】
再び図１に戻って説明を続ける。下クランプ５５の下面周縁部には下クランプ５５の水平方向における位置を固定するために、複数本の位置決めピン５１４が下方に延びるように取り付けられている。これら位置決めピン５１４は下ベース部材５１に移動方向Ｚに沿って形成された貫通孔５１２に挿通されている。位置決めピン５１４と貫通孔５１２の内壁との間にはボールスプライン機構等が介在しており、位置決めピン５１４はボールスプライン機構等を介して移動方向Ｚに沿ってのみ可動（昇降）自在に支持される。つまり、下クランプ５５は移動方向Ｚに直交する方向（水平方向）に移動するのを規制されながら下ベース部材５１に対して移動方向Ｚに沿って昇降自在に支持される。このような構成によれば、昇降ユニット５２（第２プレート５４）を移動方向Ｚに沿って移動させたとしても、水平方向において第２プレート５４と下クランプ５５（一対の挟持部ＵＨ，ＤＨ）との間の相対位置関係を確実に固定することができる。このため、第２プレート５４と一対の挟持部ＵＨ，ＤＨとが互いに水平方向にずれるのを防止することができる。
【００５３】
また、もう一方のクランプ、つまり上クランプ３５は昇降自在に支持された複数本のロッド３５６の下端に固着されている。この実施形態では、３本のロッド３５６が中心軸Ｊ回りに互いに等角度（１２０°）間隔で放射状に、上クランプ３５から上方に伸びるように設けられている。複数本のロッド３５６の各々には、上クランプ３５を移動方向Ｚに沿って昇降駆動させるためのエアシリンダ３５７が連結されている。そして、制御ユニット９１からの動作指令に応じてエアシリンダ３５７が作動することで、上クランプ３５を移動方向Ｚに沿って昇降させることができる。具体的には、上クランプ３５を上昇させて第２プレート５４に対するリング体ＲＦの搬入出を可能とする一方、上クランプ３５を下降させて下クランプ５５とでリング体ＲＦを挟持して固定することができる。
【００５４】
このエアシリンダ３５７は、処理チャンバ１の上部に取り付けられた円板状のプレート３１２に配設されており、エアシリンダ３５７から発生するパーティクル等の汚染物質が処理空間ＳＰ内に混入するのを防止することができる。なお、上クランプ３５を昇降駆動させる駆動機構としては、エアシリンダに限らず、エアシリンダ以外の他の昇降駆動用アクチュエータを用いるようにしてもよい。
【００５５】
また、エアシリンダ３５７と、該エアシリンダ３５７に圧縮空気を供給するための圧縮空気供給源との間には調圧弁３５８が介装されている。そして、制御ユニット９１からの動作指令に応じて調圧弁３５８の開度が調整されることにより、ロッド３５６の推力を一定に保つことが可能となっている。この実施形態では、支持軸５１３が移動方向Ｚにおいて受ける加重圧力を検出する荷重センサ９６が設けられており、後述するようにして荷重センサ９６によって検出された加重圧力に基づいて制御ユニット９１が調圧弁３５８の開度を調整し、ロッド３５６の推力を一定に保つようにフィードバック制御する。これにより、下クランプ５５に載置されたリング体ＲＦを上クランプ３５により一定の押圧力で押圧することができる。すなわち、下側挟持部ＤＨ上に配置されたシートフィルムＦを上側挟持部ＵＨにより上方から一定の押圧力で押圧することが可能となっている。
【００５６】
次に、上記した薄膜形成装置の動作について図１０ないし図１２を参照しつつ説明する。図１０ないし図１２は図１の薄膜形成装置の動作を説明するための模式図である。本実施形態においては、処理空間ＳＰへの基板ＷおよびシートフィルムＦの搬入に先立って、各突き上げピン５６において、下ベース部材５３の上面から段差面５６３までの移動方向Ｚにおける長さＬが使用されるシートフィルムＦの種類や膜厚等に応じて予め調整されているものとする。
【００５７】
最初に第１プレート３４側に基板Ｗが搬入される。すなわち、制御ユニット９１はステッピングモータ３６１に下降指令を与え、図１０（ａ）に示すように、爪部材３４５を第１プレート３４から下方に退避した退避位置に位置決めする。それに続いて、薄膜を形成すべき基板Ｗがチャンバ外壁に設けられた扉（図示せず）を通じて処理空間ＳＰ内に搬入され、爪部材３４５の上に載置される。その後、制御ユニット９１はステッピングモータ３６１に対して上昇指令を与え、爪部材３４５を基板装着位置に移動させて基板Ｗの上面（非パターン形成面）を第１プレート３４の下面３４２に密着させた状態で基板Ｗを位置決めする（図１０（ｂ））。これにより、第１プレート３４に基板Ｗが装着され、薄膜転写のための位置（処理位置）に位置決めされる。
【００５８】
一方、第２プレート５４側では、シートフィルムＦがリング体ＲＦにより挟持された状態で処理空間ＳＰ内に搬入される。ここで、リング体ＲＦを構成する一対のリングＲup，Ｒdwに挟まれたシートフィルムＦの表面（薄膜形成面）には予め薄膜が形成されており、薄膜形成面を上方に向けてシートフィルムＦが搬入される。このとき、上クランプ３５はリング体ＲＦの搬入を妨げることのないように上方に退避している。また、第２プレート５４の上面５４２は下クランプ５５（リング体ＲＦが載置される載置面）の下方に位置している。このため、シートフィルムＦが搬入される際に、シートフィルムＦと第２プレート５４とが接触するのを回避することができる。その結果、シートフィルムＦに張力が発生していない状態で薄膜が部分的に乾燥して薄膜の均一な乾燥が阻害されてしまうのを防止することができる。
【００５９】
そして、リング体ＲＦが下クランプ５５上に載置された後、上クランプ３５が下降して下クランプ５５に載置されたリング体ＲＦが上クランプ３５によって押圧される（図１０（ｃ））。これによって、シートフィルムＦの周縁部が全周にわたって所定の押圧力で均一に押圧され、シートフィルムＦにしわや折り曲げが発生するのを防止しながら、シートフィルムＦが一対の挟持部、つまり上側挟持部ＵＨおよび下側挟持部ＤＨにより挟持された状態となる。
【００６０】
こうして、基板ＷおよびシートフィルムＦの搬入が完了すると、制御ユニット９１は装置各部を制御し、以下に示すように薄膜を基板Ｗに転写する転写工程を実行する。まず、真空ポンプ９５による処理空間ＳＰの排気減圧を開始する。また、ヒータコントローラ９３によって加熱ヒータ３４１に通電して第１プレート３４を加熱して基板Ｗを所望の温度に加熱するとともに、ヒータコントローラ９４によって加熱ヒータ５４１に通電して第２プレート５４を加熱してシートフィルムＦを所望の温度に加熱する。
【００６１】
そして、処理空間ＳＰが所望の圧力まで減圧されると、制御ユニット９１より加重モータ５３に信号が送られ、昇降ユニット５２（第２プレート５４）の上昇駆動を開始する。第２プレート５４が上昇すると、一対の挟持部ＵＨ，ＤＨに挟持されたシートフィルムＦの裏面（非薄膜形成面）と第２プレート５４の上面５４２とが接触して第２プレート５４にシートフィルムＦが装着される。このとき、第２プレート５４の上面５４２の平面サイズはシートフィルムＦの平面サイズよりも小さく形成されているため、第２プレート５４上面５４２の全面がシートフィルムＦにより覆われる。そして、第２プレート５４の上面５４２がシートフィルムＦに接触した状態で第２プレート５４がさらに上昇すると、シートフィルムＦが緊張し、該シートフィルムＦに張力が発生する。つまり、一対の挟持部ＵＨ，ＤＨに挟持されたシートフィルムＦに第２プレート５４が突き当てられてシートフィルムＦに張力が発生する。その結果、シートフィルムＦが加熱ヒータ５４１によって加熱され、熱膨張により伸張して弛んでいても、その弛みが取り除かれる。
【００６２】
また、昇降ユニット５２の上昇によって突き上げピン５６がクランプ受け５５５上に載置された下クランプ５５と係合する（図１１（ａ））。これによって、移動方向Ｚにおける下クランプ５５（一対の挟持部ＵＨ，ＤＨ）に対する第２プレート５４の相対位置が固定される。その結果、シートフィルムＦに発生する張力の大きさが決定されて固定される。また、第２プレート５４の上昇により、下クランプ５５（一対の挟持部ＵＨ，ＤＨ）がクランプ受け５５５から突き上げピン５６に受け渡される。
【００６３】
そして、第２プレート５４の上昇とともに一対の挟持部ＵＨ，ＤＨがシートフィルムＦを挟持しながら移動方向Ｚに沿って変位する。このとき、上クランプ３５に連結されたロッド３５６がエアシリンダ３５７内に後退してストロークが短くなると、エアシリンダ３５７内の圧力が上昇してロッド３５６の推力が増大する。その結果、シートフィルムＦに対する押圧力が増大し、荷重センサ９６によって検出される加重圧力が上昇する。そこで、制御ユニット９１は荷重センサ９６によって検出される加重圧力が一定となるように調圧弁３５８の開度を調整し、ロッド３５６の推力を一定に保つようにフィードバック制御する。つまり、シートフィルムＦに対する押圧力が一定になるように、つまり第２プレート５４がシートフィルムＦに接触する前にシートフィルムＦに与えられた押圧力に等しくなるように、制御ユニット９１からの動作指令によって調圧弁３５８が制御される。そして、制御ユニット９１は昇降ユニット５２を上昇させるとともに、シートフィルムＦへの押圧力が一定となるように調圧弁３５８を制御しながらロッド３５６をエアシリンダ３５７内に後退させてストロークを短くしていく。これにより、第２プレート５４の上昇を阻害することなく、かつ一対の挟持部ＵＨ，ＤＨによりシートフィルムＦが良好かつ確実に保持される。
【００６４】
また、下クランプ５５（一対の挟持部）と突き上げピン５６とが互いに係合した状態で一対の挟持部ＵＨ，ＤＨと第２プレート５４とが一体的に移動方向Ｚに沿って移動することで、決定された張力をシートフィルムＦに付与した状態を維持したままシートフィルムＦが上昇する。つまり、第２プレート５４と一対の挟持部ＵＨ，ＤＨとが一定の位置関係を保ったまま上昇するので、シートフィルムＦに与えられた張力の大きさが変化するのを防止することができる。このため、シートフィルムＦに張力を安定して与えながらシートフィルムＦを基板Ｗに近接させていくことができる。
【００６５】
また、下クランプ５５と突き上げピン５６とは、突き上げピン５６の先端部５６２が下クランプ５５のピン挿入孔５５３に挿入されることで係合している。このため、下クランプ５５と突き上げピン５６とが係合した状態で移動方向Ｚに沿って移動する際に、互いの位置関係がずれるのを防止することができる。
【００６６】
そして、第２プレート５４がさらに上昇すると、シートフィルムＦ上の薄膜が基板Ｗに当接する（図１１（ｂ））。これとほぼ同時に、爪部材３４５を側方に退避させて爪部材３４５による基板保持を解除する（図１１（ｃ））。これによりシートフィルムＦ上の薄膜と基板Ｗとが密着し、基板Ｗへの薄膜の転写が開始される。さらに、処理空間ＳＰを排気減圧したまま、基板ＷとシートフィルムＦとが所定の加重で一定時間互いに押し付けられる。その間も基板ＷとシートフィルムＦは所定の温度となるように加熱されている。薄膜が基板Ｗに押し付けられている間もシートフィルムＦは一対の挟持部ＵＨ，ＤＨにより挟持されながら、一定の張力、つまり下クランプ５５と突き上げピン５６とが係合することによって決定された張力が付与された状態となっている。このため、シートフィルムＦにしわや折り曲げが発生するのを防止して、平坦で均一な膜厚の薄膜を基板Ｗに形成することができる。
【００６７】
そして、一連の加重操作が終了して転写処理が完了すると、ヒータコントローラ９３、９４により加熱ヒータ３４１、５４１の作動を停止させて第１、第２プレート３４，５４の加熱を停止する。続いて、加重の状態が零となるように制御ユニット９１から加重モータ５３に信号を送り、昇降ユニット５２および一対の挟持部ＵＨ，ＤＨ（上クランプ３５、リング体ＲＦ、下クランプ５５）を一体的に下降させる（図１２（ａ））。すなわち、制御ユニット９１はシートフィルムＦに対する押圧力が一定となるように調圧弁３５８を制御しながらロッド３５６をエアシリンダ３５７内から進出させてストロークを長くしていく。その後、昇降ユニット５２が下降し、上クランプ３５により上方から押圧された状態で下クランプ５５およびリング体ＲＦがクランプ受け５５５上に受け渡される（図１２（ｂ））。さらに、昇降ユニット５２が下降し、昇降ユニット５２（第２プレート５４）が転写前の初期位置に復帰すると、突き上げピン５６が下クランプ５５から離れる。また、上クランプ３５によるリング体ＲＦへの押圧が解除される（図１２（ｃ））。これにより、下クランプ５５およびリング体ＲＦがクランプ受け５５５上に支持された状態となる。
【００６８】
こうして、第２プレート５４が転写前の初期位置に戻った後、真空ポンプ９５を停止させる。なお、上記のようにして薄膜の密着が完了すると、基板Ｗは薄膜を挟んでシートフィルムＦと一体となっており、この一体化状態のままリング体ＲＦを処理チャンバ１から取り出し、シートフィルムＦを剥離する剥離装置（図示せず）に搬送する。
【００６９】
図１３は薄膜転写過程の詳細を示す図である。より詳しくは、図１３（ａ）は第１および第２プレート３４および５４と基板Ｗとの寸法関係を示す図である。また図１３（ｂ）、図１３（ｃ）はそれぞれ、図１１（ｂ）、図１１（ｃ）から上クランプ３５および下クランプ５５等を除いた主要部のみを表した図である。図１３（ａ）に示すように、第１プレート３４の下面３４２の直径Ｒ1は基板Ｗの直径Ｒ2と同じまたはこれより少し小さく造られている。こうすることで、基板Ｗを平坦に保ったまま第１プレート３４と第２プレート５４とで挟み込むことができる。
【００７０】
一方、第２プレート５４の上部を構成する石英板５４２１の上面周縁部は角が落とされたテーパー状に加工されている。これにより第２プレート５４の角に当たるシートフィルムＦがスムーズに湾曲するので、第２プレート５４の上面でシートフィルムＦが浮き上がったりしわを生じることが防止されている。また、第２プレート５４の角でシートフィルムＦに傷をつけることもない。第２プレート５４の上面５４２の直径Ｒ4は基板Ｗの直径、より厳密には、基板Ｗの下面周縁部のうち爪部材３４５と当接する当接部位を除いた部分の直径Ｒ3よりも少し小さくなるように造られている。テーパー部を除く第２プレート５４本体の直径Ｒ5は基板Ｗの直径より大きくても差し支えない。
【００７１】
この実施形態の薄膜転写過程では、図１３（ｂ）に示すように、第２プレート５４の押し上げにより、リング体ＲＦに把持されたシートフィルムＦの端部が相対的に下方に引っ張られた状態となっている。つまり、第２プレート５４よりも外側では、シートフィルムＦの表面ＦＰは、第２プレート５４上のシートフィルムＦの上面を延長した仮想的な平面ＶＰよりも下方に後退した形となっている。すなわち、第２プレート５４よりも外側で、仮想平面ＶＰとシートフィルムＦの表面ＦＰとの間には、シートフィルムＦの後退により楔型の断面形状および第２プレート５４の中心に対し回転対称な形状を有する退避空間ＥＳが形成されている。
【００７２】
このとき、上記寸法関係としていること、および、爪部材３４５の下面を平らにかつその先端部を薄刃状に仕上げていることにより、図１３（ｃ）に示すように、第２プレート５４をさらに押し上げてシートフィルムＦを基板Ｗに密着させた状態でも、爪部材３４５とシートフィルムＦとが接触しない。すなわち、第２プレート５４の上面５４２の直径Ｒ4が、基板Ｗの下面のうち爪部材３４５に当接する当接部位を除いた部分の直径Ｒ3よりも小さいため、シートフィルムＦは当接部位よりも内側（基板中心に近い側）で下方に折り曲げられて下方に後退している。そして、後退したシートフィルムＦと基板Ｗの下面との間に薄い爪部材３４５が入り込み、シートフィルムＦに接触することなく基板Ｗの保持を続けることができる。
【００７３】
言い換えれば、基板Ｗを保持する爪部材３４５は押し上げられたシートフィルムＦの端部に接触しないようできるだけ薄く、しかも下面を平らに形成されている。これと対応して、シートフィルムＦの端部は爪部材３４５に接触しない程度にまで押し下げられる。こうすることによって、薄膜転写時にシートフィルムＦ上の薄膜に爪部材３４５が接触して薄膜を損傷したり、シートフィルムＦを傷つけることがない。シートフィルムＦに傷が付いていると、後工程である基板ＷからのシートフィルムＦの剥離工程において、その傷からシートフィルムＦが破れて良好に剥離することができないことがある。上記のようにすることで、このような問題を未然に防止することができる。
【００７４】
以上のように、この実施形態では、処理チャンバ１の上部に突出して設けられ内部が処理空間ＳＰと連通するハウジング３７３の側面に設けた貫通孔３７３１に、水平方向（Ｘ方向）に伸縮自在のベローズ３７６を介して隔壁形成部材３７５を取り付けている。そして、この隔壁形成部材３７５を処理空間外部に設けたエアシリンダ３７７により駆動することで、処理空間ＳＰ内で隔壁形成部材３７５と連結された爪部材３４５を水平移動させ、処理空間ＳＰ内での基板Ｗの保持およびその解除を行っている。このため、処理チャンバ１の気密性を保ちながら、外部からの操作により基板の保持・解除を行うことができる。
【００７５】
また、爪部材３４５を装着したリフタ３４４を支持するサブプレート３６６を、ベローズ３６８を介してチャンバ外まで延びるボールねじ機構３６２およびシャフト３６３の上下動により上下させているので、やはり処理チャンバ１の気密性を保持しながら、爪部材３４５を上下動させて保持された基板Ｗを昇降させることができる。
【００７６】
また、隔壁形成部材３７５の水平移動に伴って水平移動する横ロッド３７４と、ボールねじ機構３６２およびシャフト３６３の昇降に伴って上下動する縦ロッド３７２とを機械的にリンクさせた構造としているので、爪部材３４５を上下および左右方向に二次元的に移動させることができる。
【００７７】
また、爪部材３４５については、基板Ｗと当接する方向に予め付勢しているため、外力が作用しない状態でも基板保持状態を維持することができ、基板Ｗの保持に動力を必要とせず、また故障等による基板Ｗの落下を防止することができる。また、爪部材３４５を下降させ基板Ｗを第１プレート３４から退避させた状態では、縦ロッド３７２と横ロッド３７４との連結が解除されるようにしているので、エアシリンダ３７７の誤動作により爪部材３４５が開き基板Ｗが落下することがない。
【００７８】
また、爪部材３４５を先端部が薄くしかも下面が平らになるように形成するとともに、第２プレート５４の上面５４２の直径Ｒ4を、爪部材３４５と当接する当接部位を除いた基板Ｗの直径Ｒ3よりも小さくし、さらに薄膜を担持するシートフィルムＦを、端部を引っ張り下方に後退させた状態で押し上げるようにしているので、シートフィルムＦが基板Ｗに密着した状態でも、基板Ｗを保持する爪部材３４５とシートフィルムＦとの間には隙間が保たれ、両者が接触することがなく、シートフィルムＦや薄膜の損傷が防止されている。
【００７９】
また、爪部材３４５の下部に突出した部分がないので、爪部材３４５の下部と第２プレート５４との間が広く取れ、転写ユニットのメンテナンスや、搬送ロボットによる基板Ｗの搬入・搬出作業時の利便性の向上も期待できる。
【００８０】
以上説明したように、この実施形態においては、第１プレート３４および第２プレート５４がそれぞれ本発明の「第１プレート」および「第２プレート」として機能している。また第２プレート５４の上面５４２が本発明の「担持体載置面」に相当している。また、爪部材３４５が本発明の「基板保持部材」として機能している。また、シートフィルムＦが本発明の「薄膜担持体」に相当している。
【００８１】
また、この実施形態においては、上クランプ３５、下クランプ５５、上リングＲupおよび下リングＲdwが一体として本発明の「保持空間形成手段」として機能している。また、これらと第２プレート５４とを一体的に昇降させる昇降ユニット５２が、本発明の「昇降手段」として機能している。
【００８２】
なお、本発明は上記した実施形態に限定されるものではなく、その趣旨を逸脱しない限りにおいて上述したもの以外に種々の変更を行うことが可能である。例えば、上記実施形態では、第２プレート５４の上面周縁部にテーパー部を設けることでシートフィルムＦの折れ曲がりがスムーズになるようにしているが、これに代えて、周縁部に丸みを持たせた、つまり周縁部を上に凸の曲率を有する曲面としてもよい。第１プレート３４の下面周縁部についても同様である。
【００８３】
また、上記実施形態では、爪部材３４５の上面を先端に向けて段階的に削り落とすことによって、必要な強度を得ながら先端部を薄く下面を平らにしているが、このような形状に限定されず、例えば、十分な強度が得られるのであれば、爪部材全体を薄板状に形成してもよい。また、上記実施形態では、基板の外縁に沿った円弧状に仕上げられた２組の爪部材によって基板を把持するようにしているが、保持爪の数や形状はこれに限定されるものではなく任意である。また、本実施形態では爪部材３４５の先端部材を２ピースに分割しているが、これも必須の要件ではない。
【００８４】
また、上記実施形態においては、シートフィルムＦに発生させる張力の大きさをしたベース部材５１上に立設した突き上げピン５６によって調整しているが（図８）、以下に示すように、下クランプ５５の下面に突き当てピンを立設し、これにより位置調整を行うようにしてもよい。
【００８５】
図１４は位置調整機構の他の例を示す図である。図１４に示す態様では、下クランプ５５の下面に、下方に向かって突出する突き当てピン５６０が立設されている。下ベース部材５１が上昇すると、突き当てピン５６０の下端が下ベース部材５１の上面に当接し、これにより下ベース部材５１と下クランプ５５との位置関係が規定される。このような態様では、突き当てピン５６０の長さによって相対距離Ｄ（図８）を調整しシートフィルムＦの張力を調整することができる。
【産業上の利用可能性】
【００８６】
この発明は、半導体ウエハ、フォトマスク用ガラス基板、液晶表示用ガラス基板、プラズマ表示用ガラス基板、ＦＥＤ（Field Emission Display）用基板、光ディスク用基板、磁気ディスク用基板、光磁気ディスク用基板などを含む基板に薄膜を形成する薄膜形成装置に適用することができる。
【符号の説明】
【００８７】
１…処理チャンバ
３４…第１プレート
５４…第２プレート
３５…上クランプ（保持空間形成手段）
５２…昇降ユニット（昇降手段）
５５…下クランプ（保持空間形成手段）
３４５…爪部材（基板保持部材）
５４２…（第２プレート５４の）上面（担持体載置面）
Ｒup…上リング（保持空間形成手段）
Ｒdw…下リング（保持空間形成手段）
Ｆ…シートフィルム（薄膜担持体）
ＳＰ…処理空間
【図１】
2010192516.tif 000003
【図２】
2010192516.tif 000004
【図３】
2010192516.tif 000005
【図４】
2010192516.tif 000006
【図５】
2010192516.tif 000007
【図６】
2010192516.tif 000008
【図７】
2010192516.tif 000009
【図８】
2010192516.tif 000010
【図９】
2010192516.tif 000011
【図１０】
2010192516.tif 000012
【図１１】
2010192516.tif 000013
【図１２】
2010192516.tif 000014
【図１３】
2010192516.tif 000015
【図１４】
2010192516.tif 000016